(57)【要約】【課題】画像を観視する観視者の眼疲労を低減する。【解決手段】観視者に画像を表示する表示装置であって、画像を観視者に表示する表示部と、観視者の眼疲労量を検出する疲労検出部と、疲労検出部が検出した眼疲労量が予め定められた閾値を越えた場合に、観視者の視点位置を奥行き方向に変化させる変化画像を表示部に表示させる表示制御部とを備え、表示制御部は、視差を変化させずに観視者の視点位置を奥行き方向に変化させる変化画像を表示部に表示させる表示装置を提供する。【選択図】図１
2012022150.tif 000002
【特許請求の範囲】
【請求項１】
観視者に画像を表示する表示装置であって、
前記画像を前記観視者に表示する表示部と、
前記観視者の眼疲労量を検出する疲労検出部と、
前記疲労検出部が検出した前記眼疲労量が予め定められた閾値を越えた場合に、前記観視者の視点位置を奥行き方向に変化させる変化画像を前記表示部に表示させる表示制御部と
を備える表示装置。
【請求項２】
前記表示部は、視差を有する右眼用画像および左眼用画像を表示し、
前記表示制御部は、視差を変化させずに前記観視者の視点位置を奥行き方向に変化させる前記変化画像を前記表示部に表示させる
請求項１に記載の表示装置。
【請求項３】
前記表示装置は、予め定められた視聴用画像を前記観視者に表示し、
前記表示制御部は、前記疲労検出部が検出した前記眼疲労量が予め定められた閾値を越えた場合に、前記表示部における前記視聴用画像の表示を停止させ、前記変化画像を前記表示部に表示させる
請求項１または２に記載の表示装置。
【請求項４】
前記表示装置は、予め定められた視聴用画像を前記観視者に表示し、
前記表示制御部は、前記疲労検出部が検出した前記眼疲労量が予め定められた閾値を越えた場合に、前記視聴用画像および前記変化画像の双方を前記表示部に表示させる
請求項１または２に記載の表示装置。
【請求項５】
前記表示制御部は、前記表示部において前記視聴用画像が表示される領域の外に、前記変化画像を表示させる
請求項４に記載の表示装置。
【請求項６】
前記表示制御部は、前記変化画像を表示させる場合における前記視聴用画像が表示される領域を、前記変化画像を表示させない場合における前記視聴用画像が表示される領域より小さくする
請求項５に記載の表示装置。
【請求項７】
前記表示制御部は、前記変化画像を表示させる場合における前記視聴用画像の輝度を、前記変化画像を表示させない場合における前記視聴用画像の輝度よりも低くする
請求項５に記載の表示装置。
【請求項８】
前記表示部は動画像を表示し、
前記疲労検出部は、直前の予め定められた期間内において前記表示部に表示した前記右眼用画像および前記左眼用画像の特性を示す特性情報に基づいて、前記観視者の眼疲労量を検出する
請求項２に記載の表示装置。
【請求項９】
前記疲労検出部は、前記表示部に表示した前記右眼用画像および前記左眼用画像のフレーム間における、各被写体の視差量の変化、輝度の変化、および、コントラストの変化の少なくとも一つに基づいて、前記観視者の眼疲労量を検出する
請求項８に記載の表示装置。
【請求項１０】
前記表示部は、異なる位置にいる前記観視者毎に画像を表示し、
前記疲労検出部は、前記観視者毎に前記眼疲労量を検出し、
前記表示制御部は、前記眼疲労量が予め定められた閾値を越えた前記観視者に対応する前記表示部の領域に前記変化画像を表示させる
請求項１から９のいずれか一項に記載の表示装置。
【請求項１１】
前記疲労検出部は、それぞれの前記観視者について予め定められたパラメータを測定し、それぞれの前記観視者の前記パラメータの変化と、複数の前記観視者の前記パラメータの変化の平均とに基づいて、それぞれの前記観視者の前記眼疲労量を検出する
請求項１から１０のいずれか一項に記載の表示装置。
【請求項１２】
前記疲労検出部は、
前記観視者について、眼の動作の基準画像を予め格納する基準格納部と、
前記表示部が表示した画像を観視している前記観視者の眼の動作の画像を取得する眼画像取得部と、
前記眼画像取得部が取得した画像と、前記基準格納部が格納した前記基準画像とを比較して、前記観視者の前記眼疲労量を測定する疲労測定部と
を有する請求項１から１０のいずれか一項に記載の表示装置。
【請求項１３】
観視者に画像を表示する表示方法であって、
前記観視者の眼疲労量を検出する疲労検出段階と、
前記疲労検出段階において検出した前記眼疲労量が予め定められた閾値を越えた場合に、前記観視者の視点位置を奥行き方向に変化させる変化画像を、表示部に表示させる表示制御段階と
を備える表示方法。
【発明の詳細な説明】
【技術分野】
【０００１】
本発明は、表示装置および表示方法に関する。
【背景技術】
【０００２】
液晶表示装置等のモニタが表示する画像を長時間見続けると、観視者に疲労が蓄積することが知られている。例えば、二次元画像を観視する場合には、眼の筋緊張が一定レベルで持続するので、眼疲労が蓄積する（例えば、特許文献１参照）。また、立体的画像を視聴する場合には、眼の輻輳角および調節位置の不一致により、観視者に疲労が蓄積する。
特許文献１  特開２００３−４７６３６号公報
【発明の概要】
【発明が解決しようとする課題】
【０００３】
上述した疲労は、モニタ以外の領域に視点を移して、眼のピント位置を変化させることで低減される。しかし、画像を集中して観視している場合には、長時間にわたって画像を観視してしまい、観視者に疲労が蓄積してしまう。また、例えば壁掛け型のモニタにおいては、モニタ以外の領域を観視しても、眼のピント位置を大きく変化させることが困難である。また、モニタ以外の領域を観視する間は、モニタにおける画像の情報を観視者が得ることが困難である。
【課題を解決するための手段】
【０００４】
上記課題を解決するために、本発明の第１の態様においては、観視者に画像を表示する表示装置であって、画像を観視者に表示する表示部と、観視者の眼疲労量を検出する疲労検出部と、疲労検出部が検出した眼疲労量が予め定められた閾値を越えた場合に、観視者の視点位置を奥行き方向に変化させる変化画像を表示部に表示させる表示制御部とを備える表示装置を提供する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】観視者２００に画像を表示する表示装置１００の構成例を示す。
【図２】表示制御部３０が表示部１０に表示させる変化画像１４の一例を示す。
【図３】表示部１０における表示例を示す。
【図４】疲労検出部２０の構成例を示す。
【図５】表示部１０の構成例を示す。
【図６】表示装置１００の動作例のフローチャートを示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、観視者２００に画像を表示する表示装置１００の構成例を示す。表示装置１００は、表示部１０、疲労検出部２０および表示制御部３０を備える。表示部１０は、例えば液晶ディスプレイ等の表示デバイスに、視差を有する右眼用画像および左眼用画像を用いた立体的画像を表示する。また、表示部１０は、表示デバイスに２次元画像を表示してもよい。
【０００９】
立体的画像を表示する場合、表示部１０は、右眼用画像および左眼用画像を同時に表示してよい。この場合、表示部１０は、右眼用画像からの光を観視者２００の右眼位置に集光させ、左眼用画像からの光を観視者２００の左眼位置に集光させてよい。例えば表示部１０は、パララックスバリア方式、または、レンチキュラ方式により、右眼用画像および左眼用画像の光を観視者２００の右眼位置および左眼位置に集光させる。また、表示部１０は、右眼用画像および左眼用画像からの光の偏光方向を異ならせてよい。この場合、表示装置１００は、観視者２００の右眼に対して右眼用画像の光を通過させ、観視者２００の左眼に対して左眼用画像の光を通過させる偏光メガネを更に有する。当該偏光メガネは観視者２００に装着される。
【００１０】
また、表示部１０は、右眼用画像および左眼用画像を時分割で交互に表示してもよい。この場合、表示装置１００は、観視者２００に装着され、観視者２００の右眼および左眼に対して交互に光を通過させるシャッタ付メガネを更に備える。当該シャッタ付メガネは、表示部１０が右眼用画像を表示するタイミングで観視者２００の右眼に対して光を通過させ、且つ、左眼に対しては光を通過させない。また、当該シャッタ付メガネは、表示部１０が左眼用画像を表示するタイミングで観視者２００の右眼に対して光を通過させず、且つ、左眼に対して光を通過させる。
【００１１】
疲労検出部２０は、観視者２００の眼疲労量を示す疲労情報を取得する。疲労検出部２０は、観視者２００の眼の画像から検出されるまばたき回数、眼の開口面積等のように、観視者２００の眼疲労量を直接的に示す疲労情報を取得してよい。また、疲労検出部２０は、観視者２００に観視させた画像の履歴、観視者２００に画像を観視させた時間の長さ等のように、観視者２００の眼疲労量を間接的に示す疲労情報を取得してもよい。
【００１２】
表示制御部３０は、疲労検出部２０が検出した眼疲労量が予め定められた閾値を越えた場合に、画像の視差を変化させずに、観視者２００の視点位置を奥行き方向に変化させる変化画像を表示部１０に表示させる。変化画像は、心理的な影響により観視者２００の視点位置を奥行き方向に変化させる画像要素を含んでよい。例えば変化画像は、時間経過と共に徐々に大きさが変化する画像要素を含んでよく、時間経過と共に徐々に明るさが変化する画像要素を含んでよい。
【００１３】
図２は、表示制御部３０が表示部１０に表示させる変化画像１４の一例を示す。本例の表示部１０は、右眼用画像および左眼用画像として同一の２次元画像を表示する。つまり、変化画像１４は、立体的画像ではなく、２次元画像として表示される。
【００１４】
表示制御部３０は、変化画像１４として、時間経過と共に大きさおよび位置が変化する画像を表示してよい。また表示制御部３０は、表示部１０に、変化画像１４とあわせて補助画像１２を表示させてもよい。補助画像１２は、遠近法（または透視図法）による描画される画像であってよく、消失点１１を有する。
【００１５】
表示制御部３０は、時間経過と共に、初期位置から補助画像１２に沿って位置が変化する変化画像１４を表示させてよい。例えば、変化画像１４は、初期位置（例えば変化画像１４−１の位置）から消失点１１に向かって位置が変化してよく、初期位置（例えば変化画像１４−２の位置）から消失点１１とは逆方向に位置が変化してもよい。
【００１６】
変化画像１４を消失点１１に向かって移動させる場合、表示制御部３０は、変化画像１４の大きさを徐々に小さくしてよい。また、変化画像１４を消失点１１に向かって移動させる場合、表示制御部３０は、変化画像１４の明るさを徐々に暗くしてよい。
【００１７】
変化画像１４を消失点１１から離れる方向に移動させる場合、表示制御部３０は、変化画像１４の大きさを徐々に大きくしてよい。また、変化画像１４を消失点１１から離れる方向に移動させる場合、表示制御部３０は、変化画像１４の明るさを徐々に明るくしてよい。
【００１８】
このような変化画像１４を表示することで、観視する画像から得られる心理的な影響で、観視者２００の視点位置（ピント位置）を奥行き方向に変化させることができる。例えば、変化画像１４が小さくなりながら消失点１１に向かって移動する場合、観視者２００は、変化画像１４が遠ざかっているように感じ、視点位置が奥行き方向に変化する。このため、観視者２００の眼の筋緊張を緩和することができ、観視者２００の眼疲労量を低減することができる。
【００１９】
なお、表示制御部３０は、変化画像１４を表示部１０に表示させるとともに、所定の音響を観視者２００に与えてもよい。例えば表示制御部３０は、変化画像１４の大きさを徐々に小さくする場合に、観視者２００に与える音響量を徐々に小さくする。また、表示制御部３０は、変化画像１４の大きさを徐々に大きくする場合に、観視者２００に与える音響量を徐々に大きくする。このような処理により、観視者２００に与える心理的影響を大きくし、観視者２００の視点位置を奥行き方向に変化させやすくすることができる。
【００２０】
また、表示制御部３０は、変化画像１４を表示部１０に表示させる場合、観視者２００の右眼または左眼のいずれか一方に変化画像１４を表示してよい。例えば観視者２００がシャッタ付きメガネを装着している場合、表示制御部３０は、シャッタ付きメガネを制御して、変化画像１４を表示させる期間、右眼または左眼のいずれか一方に画像を通過させ、他方の眼への画像を遮蔽する。
【００２１】
それぞれの眼に変化画像１４を表示させる期間は、変化画像１４を、予め定められた態様で変化させるのに要する期間であってよい。それぞれの眼に変化画像１４を表示させる期間は、例えば数秒から数十秒程度であってよい。表示制御部３０は、予め定められた回数、変化画像１４の態様を繰り返し変化させて表示させてよい。
【００２２】
また、観視者２００が偏光メガネを装着している場合、表示制御部３０は、表示部１０が表示する右眼用画像および左眼用画像の一方に変化画像１４を表示させ、他方の画像として黒べたの画像を表示させてよい。また、表示部１０がレンチキュラ方式またはパララックスバリア方式の場合には、表示制御部３０は、表示部１０が表示する右眼用画像および左眼用画像の一方に変化画像１４を表示させ、他方の画像として黒べたの画像を表示させてよい。片眼ずつ変化画像１４を表示させることで、観視者２００の視点位置に対する両眼の輻輳角による影響を低減することができる。このため、心理的な影響を強調して、観視者２００の視点位置を変化させやすくすることができる。
【００２３】
なお、表示装置１００は、観視者２００等に指定された視聴用画像を観視者２００に表示する。表示制御部３０は、疲労検出部２０が検出した眼疲労量が予め定められた閾値を越えた場合に、表示部１０における視聴用画像の表示を停止させ、図２に示したような変化画像１４を表示部１０に表示させてよい。この場合、変化画像１４を所定の期間表示した後、表示制御部３０は、停止した箇所から視聴用画像の表示を再開する。
【００２４】
また、表示制御部３０は、疲労検出部２０が検出した眼疲労量が予め定められた閾値を越えた場合に、視聴用画像および変化画像１４の双方を表示部１０に表示させてもよい。この場合、表示制御部３０は、表示部１０において視聴用画像が表示される領域の外に、変化画像１４を表示させてよく、視聴用画像に重畳して変化画像１４を表示させてもよい。視聴用画像に重畳して変化画像１４を表示させる場合、例えば視聴用画像の中央に、上述した変化画像１４を表示させてよい。
【００２５】
図３は、表示部１０における表示例を示す。本例の表示部１０は、視聴用画像１６および変化画像１４の双方を表示する。本例の変化画像１４は、視聴用画像１６が表示される領域の外に表示される。
【００２６】
表示制御部３０は、変化画像１４を表示させる場合において視聴用画像１６が表示される領域を、変化画像１４を表示させない場合における視聴用画像１６が表示される領域より小さくしてよい。例えば変化画像１４を表示させない場合、視聴用画像１６は、表示部１０の表示面の全面に表示される。そして、変化画像１４を表示する場合、図３に示すように視聴用画像１６は縮小されて、表示部１０の表示面のいずれかの領域に表示されてよい。例えば視聴用画像１６は、表示部１０の表示面の端部に表示される。
【００２７】
また、表示制御部３０は、変化画像１４を表示させる場合における視聴用画像１６の輝度を、変化画像１４を表示させない場合における視聴用画像１６の輝度よりも低くしてよい。また、表示制御部３０は、変化画像１４を表示させる場合における視聴用画像１６のコントラストを、変化画像１４を表示させない場合における視聴用画像１６のコントラストよりも小さくしてよい。このような処理により、観視者２００を、変化画像１４に注目させることができる。
【００２８】
また、表示制御部３０は、変化画像１４を表示させない場合の通常の視聴用画像１６として、視差を有する右眼用画像および左眼用画像を表示部１０に表示させ、変化画像１４を表示させる場合の視聴用画像１６として、視差を有さない右眼用画像および左眼用画像（すなわち同一の右眼用画像および左眼用画像）を表示部１０に表示させてよい。また、表示制御部３０は、変化画像１４を表示させる場合に、右眼用画像および左眼用画像の一方のみを表示部１０に表示させてもよい。また、表示制御部３０は、変化画像１４を表示部１０に表示する場合、視聴用画像１６および変化画像１４を、観視者２００の右眼または左眼の片方ずつに、数秒から数十秒程度の期間選択的に表示してよい。
【００２９】
図４は、疲労検出部２０の構成例を示す。疲労検出部２０は、基準格納部２２、眼画像取得部２４、および、疲労測定部２６を有する。眼画像取得部２４は、表示部１０を観視する観視者２００の眼の画像を取得する。眼画像取得部２４は、取得した眼の画像から、所定期間内における、観視者２００のまばたき回数、観視者２００の眼の開口面積、観視者２００の瞳孔面積の変化速度、または、輻輳角の変化速度等の疲労情報を取得してよい。
【００３０】
基準格納部２２は、眼画像取得部２４が出力する疲労情報と比較すべき基準情報を格納する。基準格納部２２は、それぞれの観視者２００について、基準となる眼の動作の基準画像を予め格納してよい。
【００３１】
基準格納部２２には、疲労が蓄積していない観視者２００において測定した基準情報を格納することが好ましい。例えば、基準格納部２２は、表示部１０が予め定められた期間以上、画像を表示していないことを条件として、観視者２００の眼の動作の基準画像を撮像して、所定期間内における観視者２００のまばたき回数、観視者２００の眼の開口面積、観視者２００の瞳孔面積の変化速度、または、輻輳角の変化速度等の疲労情報を取得してよい。
【００３２】
また、基準格納部２２は、表示部１０が画像表示を開始した直後における、観視者２００の眼の画像から得られる基準情報を格納してもよい。また、表示装置１００は、観視者２００により視聴することが指定された画像を表示する前に、基準情報を取得するための画像を表示してもよい。当該画像は、例えば輝度値、輝度値の変化パターン、コントラスト等の特性が予め定められた画像である。
【００３３】
また、基準格納部２２は、疲労が蓄積した状態の観視者２００において測定した基準情報を格納してもよい。例えば、基準格納部２２は、過去において、表示部１０が予め定められた期間以上画像を表示した後に撮像した観視者２００の眼の動作の画像から得られる基準情報を格納する。
【００３４】
また、基準格納部２２は、観視者２００が長時間画像を観視して、観視者２００のまばたき回数の増大、瞳孔面積の変化速度の劣化等が飽和した状態での基準情報を取得してもよい。
【００３５】
疲労測定部２６は、眼画像取得部２４から取得した情報と、基準格納部２２が格納した基準情報とを比較して、観視者２００の疲労が基準値を越えたか否かを判定する。例えば疲労測定部２６は、眼画像取得部２４から取得したまばたき回数が、基準格納部２２が格納した基準値を越えたか否かを判定してよい。疲労測定部２６は、観視者２００の疲労が基準値を越えたと判定した場合に、その旨を表示制御部３０に通知する。
【００３６】
また、表示部１０が動画像を表示する場合において、疲労測定部２６は、直前の予め定められた期間内において表示部１０が表示した右眼用画像および左眼用画像の特性を示す情報を含む疲労情報を取得してもよい。この場合、疲労検出部２０は、眼画像取得部２４を有さなくともよい。画像の特性とは、画像のフレーム間における、各被写体（画像要素）の視差量の変化、輝度の変化、および、コントラストの変化の少なくとも一つを含んでよい。
【００３７】
また、疲労測定部２６は、当該期間における当該変化量の絶対値の積分値を取得してもよい。例えば、当該期間内において、表示部１０が点滅するような画像を表示する場合、輝度の変化の積分値が大きくなり、観視者２００の眼疲労の蓄積が大きいと評価される。また、疲労測定部２６は、直前の所定期間内において表示部１０が表示した画像の輝度の平均値、または、表示部１０が画像を連続して表示している期間等の情報を取得してもよい。
【００３８】
図５は、表示部１０の構成例を示す。本例の表示部１０は、異なる位置にいる観視者２００毎に、独立して右眼用画像および左眼用画像を表示する。本例では、二人の観視者２００の各眼（右眼１、左眼１、右眼２、左眼２）に、対応する右眼用画像および左眼用画像を表示する場合を説明する。
【００３９】
表示部１０は、表示デバイス３２およびバリア部３４を含む。表示デバイス３２は、観視者２００の各眼（右眼１、左眼１、右眼２、左眼２）に対応する、右眼用画像Ｒ１、左眼用画像Ｌ１、右眼用画像Ｒ２、左眼用画像Ｌ２の各画素列を、所定の順序で水平方向に配列した画像を表示する。例えば、表示デバイス３２は、左眼１に対応する左眼用画像Ｌ１の画素列、右眼１に対応する右眼用画像Ｒ１の画素列、左眼２に対応する左眼用画像Ｌ２の画素列、右眼２に対応する右眼用画像Ｒ２の画素列を、この順序で配列した画像を表示する。
【００４０】
バリア部３４は、表示デバイス３２の画像表示面に対向して配置される。バリア部３４は、複数の通過部３８と、複数の遮蔽部３６を有する。バリア部３４は、パララックスバリアであってよい。
【００４１】
複数の遮蔽部３６は、複数の通過部３８が、水平方向において所定の周期で配列されるように設けられる。ここで、水平方向とは、通過部３８及び遮蔽部３６が交互に配列される配列方向を指す。例えば、それぞれの通過部３８の横方向の幅をＷとして、視点数をＮとすると、複数の通過部３８は、Ｗ×Ｎの周期で配列されてよい。図５に示すように、通過部３８の横方向の幅が１画素分であり、視点数が４の場合、通過部３８は、横方向において４画素毎に配置される。それぞれの通過部３８の間には、遮蔽部３６が設けられる。
【００４２】
このような構成により、複数の通過部３８は、各視点に対して、表示デバイス３２が表示した複数の画素列のうち対応する画素列からの光を通過して表示させる。一方、複数の遮蔽部３６は、各視点に対して、表示デバイス３２が表示した複数の画素列のうち対応しない画素列からの光を遮蔽する。
【００４３】
例えば、左眼１の位置からは、対応する画素列Ｌ１を観察することができるが、それ以外の画素列Ｌ２、Ｒ１、Ｒ２は遮蔽部３６によって遮られ、観察することはできない。他の視点からも同様に、対応する画素列を観察することができるが、それ以外の画素列を観察することができない。このような構成により、複数の観視者２００に対して、それぞれの右眼用画像および左眼用画像を提供できる。
【００４４】
なお表示部１０の構成は、当該構成に限定されない。例えば表示部１０は、バリア部３４に代えてレンチキュラーレンズを用いることによっても、複数の観視者２００に対して、それぞれの右眼用画像および左眼用画像を提供することができる。
【００４５】
また、表示部１０が左眼用画像Ｌ１、右眼用画像Ｒ１、左眼用画像Ｌ２および右眼用画像Ｒ２を時分割で表示して、それぞれの観視者２００に装着されるシャッタ付メガネにより対応する画像を各観視者２００に観視させることによっても、複数の観視者２００に対して、それぞれの右眼用画像および左眼用画像を提供できる。また、表示部１０が、それぞれの画像について偏光方向を異ならせて表示して、それぞれの観視者２００に装着される偏光メガネにより対応する画像を各観視者２００に観視させることによっても、複数の観視者２００に対して、それぞれの右眼用画像および左眼用画像を提供できる。
【００４６】
本例において疲労検出部２０は、観視者２００毎に疲労を測定することが好ましい。本例において表示制御部３０は、それぞれの観視者２００の疲労に基づいて、対応する観視者２００に変化画像１４を表示するか否かを制御する。これにより、それぞれの観視者２００の疲労に応じて、観視者２００毎に変化画像１４を表示することができる。
【００４７】
なお、複数の観視者２００に対して画像を表示する場合において、疲労測定部２６は、それぞれの観視者２００について予め定められたパラメータを測定する。表示制御部３０は、それぞれの観視者２００のパラメータの変化と、複数の観視者２００のパラメータの変化の平均とに基づいて、それぞれの観視者２００に対して変化画像１４を表示するか否かを制御する。
【００４８】
例えば疲労測定部２６は、画像表示を開始した直後の所定期間内におけるまばたき回数に対する、直近の所定期間内におけるまばたき回数の増加割合を、それぞれの観視者２００について測定する。表示制御部３０は、全ての観視者２００における当該増加割合の平均値を算出する。そして、表示制御部３０は、それぞれの観視者２００における当該増加割合が、当該増加割合の全観視者２００の平均値に対してどれだけ乖離しているかを算出する。表示制御部３０は、当該乖離の度合いが基準値を越えた場合に、対応する観視者２００に変化画像１４を表示する。また、疲労測定部２６は、当該パラメータとして、観視者２００の体温、脈拍等の生体情報を測定してもよい。
【００４９】
図６は、表示装置１００の動作例のフローチャートを示す。まず表示部１０において、観視者２００等が指定した視聴用画像を表示する（Ｓ３００）。例えば視聴用画像とは、テレビ、映画、ゲーム等の画像であってよい。なお、表示部１０は、当該視聴用画像が終了した場合には、画像表示を終了してよい（Ｓ３０２）。
【００５０】
視聴用画像が終了していない場合、疲労検出部２０は、観視者２００の眼疲労を検出する（Ｓ３０４）。疲労検出部２０が検出した眼疲労量が、所定の閾値を越えていない場合、表示部１０は、視聴用画像の表示を継続する（Ｓ３０６）。疲労検出部２０が検出した眼疲労量が、所定の閾値を越えた場合、表示制御部３０は、変化画像１４を表示部１０に表示させる（Ｓ３０８）。このとき表示部１０は、視聴用画像の表示を継続してよく、停止してもよい。
【００５１】
表示制御部３０は、変化画像１４を所定の期間表示させた場合に、変化画像１４の表示を終了させる（Ｓ３１０）。この場合において、表示部１０は、通常の視聴用画像の表示を再開する。
【００５２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５４】
１０・・・表示部、１２・・・補助画像、１４・・・・変化画像、１６・・・視聴用画像、２０・・・疲労検出部、２２・・・基準格納部、２４・・・眼画像取得部、２６・・・疲労測定部、３０・・・表示制御部、３２・・・表示デバイス、３４・・・バリア部、３６・・・遮蔽部、３８・・・通過部、１００・・・表示装置、２００・・・観視者
【図１】
2012022150.tif 000003
【図２】
2012022150.tif 000004
【図３】
2012022150.tif 000005
【図４】
2012022150.tif 000006
【図５】
2012022150.tif 000007
【図６】
2012022150.tif 000008